(57)【要約】【課題】小口部に貼着された化粧シート材の繋ぎ目が目立たないようにした扉パネルおよびその製造方法の提供。【解決手段】扉パネル基材部１の小口部１ａへ小口部用化粧シート材５を貼着し、表面材３および裏面材４と同一面で切断し、扉パネル基材部１の表面部１ｂに、小口部用化粧シート材５の端面５ａまで含めて表面部用化粧シート材６を貼着する。扉パネル基材部１の小口部１ａに貼着された小口部用化粧シート材５の端面５ａは、扉パネル基材部１の表面部１ｂに貼着された表面部用化粧シート材６により覆われているので、扉パネル基材部１の表面部１ｂ側から小口部用化粧シート材５の繋ぎ目はみえない。【選択図】図１
2007120195.tif 000002
【特許請求の範囲】
【請求項１】
扉パネル基材部に化粧シート材を貼着して形成される扉パネルであって、
前記扉パネル基材部の小口部に貼着された小口部用化粧シート材と、
前記扉パネル基材部の表面部に前記小口部用化粧シート材の端面上を含めて貼着された表面部用化粧シート材と
を有する扉パネル。
【請求項２】
前記表面部用化粧シート材と小口部用化粧シート材とが、異なるデザインの化粧シート材である請求項１記載の扉パネル。
【請求項３】
前記表面部用化粧シート材と小口部用化粧シート材とが、互いに直交する方向の木目がデザインされた化粧シート材である請求項１記載の扉パネル。
【請求項４】
扉パネル基材部に化粧シート材を貼着して形成される扉パネルの製造方法であって、
前記扉パネル基材部の小口部に小口部用化粧シート材を貼着した後、
前記扉パネル基材部の表面部に前記小口部用化粧シート材の端面上を含めて表面部用化粧シート材を貼着する扉パネルの製造方法。
【請求項５】
前記小口部用化粧シート材の端面は、前記小口部用化粧シート材を貼着した後、この貼着した化粧シート材の端部を前記扉パネル基材部の表面部と同一面で切断して形成することを特徴とする請求項４記載の扉パネルの製造方法。
【発明の詳細な説明】
【技術分野】
【０００１】
本発明は、扉パネル基材部に化粧シート材を貼着して形成される扉パネルおよびその製造方法に関する。
【背景技術】
【０００２】
化粧シート材を貼着した表面化粧板により芯材を包み込むようにして形成される扉パネルとして、例えば特許文献１，２，３に記載のものが知られている。これらの扉パネルは、化粧シート材を貼着した表面化粧板により芯材を包み込むため、化粧シート材を貼着した表面化粧板に折り曲げ用のＶカット部を設け、芯材の小口部の形状に合わせて折り曲げる。
【０００３】
ところが、芯材の小口部が曲面である場合には、上記特許文献１〜３に記載の方法では化粧シート材を貼着した扉パネルを製造することができない。このような場合には、芯材を含んで所定の形状に形成された扉パネル基材部に化粧シート材を直接貼着することにより扉パネルを製造する。
【０００４】
また、このような扉パネルに貼着する化粧シート材には、木目模様や升目模様等の模様が印刷されたものを使用する。例えば、木目模様を使用する場合、一般的には木目が長手方向に通るように扉パネル基材部に貼着するが、近年、この木目が短手方向に通るように貼着したいという要求がある。また、全体が同じ方向に通った木目であれば、１枚の化粧シート材を、扉パネル基材部を包み込むように貼着すれば良いが、表面部と小口部とで異なる方向に木目を形成する場合には表面部と小口部とで別々に化粧シート材を貼着しなければならない。
【０００５】
図２は表面部１１０と小口部１２０とにそれぞれ異なる方向に木目を通した化粧シート材を貼着した扉パネル１００の斜視図である。このような扉パネル１００は、まず、図３の（ａ）に示すように、芯材１０２を表面材１０３および裏面材１０４により挟み込んで形成した扉パネル基材部１０１の表面部１１０に、短手方向に木目が通るように化粧シート材１０５を貼着しておき、その後、小口部１２０へ長手方向に木目が通るように化粧シート材１０６を貼着し、同図（ｂ）に示すようにこの化粧シート材１０６を切断して表面部１１０の化粧シート材１０５と同一面を形成する。
【０００６】
【特許文献１】実公平４−２１９９７号公報
【特許文献２】特開平８−６８２７３号公報
【特許文献３】特開平８−６８２７４号公報
【発明の開示】
【発明が解決しようとする課題】
【０００７】
ところが、このように表面部１１０に化粧シート材１０５を貼着した後、小口部１２０へ化粧シート材１０６を貼着して切断し、表面部１１０の化粧シート材１０５と同一面を形成した場合、この切断面の切り口１０７が扉パネル１００の表面部１１０に現れるので見た目が悪くなる。そのため、従来、この切り口１０７を着色するなどして目立たなくしているが、この着色した部分が徐々に色あせし、化粧シート材１０５，１０６の繋ぎ目が目立ってきてしまうという問題がある。
【０００８】
そこで、本発明においては、小口部に貼着された化粧シート材の繋ぎ目が目立たないようにした扉パネルおよびその製造方法を提供することを目的とする。
【課題を解決するための手段】
【０００９】
本発明の扉パネルの製造方法は、扉パネル基材部に化粧シート材を貼着して形成される扉パネルの製造方法であって、扉パネル基材部の小口部に小口部用化粧シート材を貼着した後、扉パネル基材部の表面部に小口部用化粧シート材の端面上を含めて表面部用化粧シート材を貼着することを特徴とする。
【００１０】
これにより、扉パネル基材部の小口部に貼着された小口部用化粧シート材と、扉パネル基材部の表面部に小口部用化粧シート材の端面上を含めて貼着された表面部用化粧シート材とを有する扉パネルが得られる。
【００１１】
この扉パネルでは、扉パネル基材部の小口部に貼着された小口部用化粧シート材の端面が、扉パネル基材部の表面部に貼着された表面部用化粧シート材により覆われているので、扉パネル基材部の表面部側から小口部用化粧シート材の繋ぎ目はみえなくなる。
【発明の効果】
【００１２】
本発明の扉パネルでは、扉パネル基材部の小口部に貼着された小口部用化粧シート材の端面が、扉パネル基材部の表面部に貼着された表面部用化粧シート材により覆われて、扉パネル基材部の表面部側から小口部用化粧シート材の繋ぎ目はみえないので、表面部用化粧シート材と小口部用化粧シート材として互いに異なるデザイン、例えば互いに直交する方向の木目がデザインされたような化粧シート材を使用してもその繋ぎ目は目立たない。
【発明を実施するための最良の形態】
【００１３】
図１の（ａ）から（ｄ）は本発明の実施の形態における扉パネルの製造工程を示す断面図である。
【００１４】
本発明の実施の形態における扉パネルは、まず、図１の（ａ）に示すように、芯材２を表面材３および裏面材４により挟み込んで、扉パネル基材部１を形成する。次に、同図（ｂ）に示すように、この扉パネル基材部１の端部の小口部１ａへ小口部用化粧シート材５を貼着し、表面材３および裏面材４と同一面で切断する。なお、小口部用化粧シート材５は、塩化ビニルシート等のシートに木目模様を印刷したものである。また、本実施形態においては、この小口部用化粧シート材５の木目が、扉パネルの長手方向（図面に対して垂直）に通るように貼着される。
【００１５】
そして、図１（ｃ）に示すように、扉パネル基材部１の表面部１ｂに、小口部用化粧シート材５の端面５ａまで覆うように表面部用化粧シート材６を貼着する。なお、表面部用化粧シート材６についても、小口部用化粧シート材５と同様に塩化ビニルシート等のシートに木目模様を印刷したものである。この表面部用化粧シート材６は、木目が扉パネルの短手方向（図面に対して平行）に通るように貼着される。これにより、図１（ｄ）に示す扉パネルが製造される。
【００１６】
こうして得られた扉パネルでは、扉パネル基材部１の小口部１ａに貼着された小口部用化粧シート材５の端面５ａが、扉パネル基材部１の表面部１ｂに貼着された表面部用化粧シート材６により覆われているので、扉パネル基材部１の表面部１ｂ側から小口部用化粧シート材５の繋ぎ目はみえなくなる。したがって、本実施形態における扉パネルのように、表面部用化粧シート材６と小口部用化粧シート材５とが互いに直交する方向に木目が通るようにデザインされたような化粧シート材を使用することが可能となり、繋ぎ目を着色する必要がない。
【００１７】
また、本実施形態においては、小口部用化粧シート材５の端面５ａを、小口部１ａへ小口部用化粧シート材５を貼着した後、この貼着した小口部用化粧シート材５の端部を扉パネル基材部１の表面部１ｂと同一面で切断して形成するので、表面部用化粧シート材６を貼着する面が均一となり、小口部用化粧シート材５と扉パネル基材部１の表面部１ｂとの境界が表面部用化粧シート材６の表面に段差となって現れることがない。
【００１８】
なお、本実施形態においては、扉パネル基材部１の表面部１ｂに表面部用化粧シート材６を貼着する例について説明したが、扉パネル基材部１の裏面部についても同様に化粧シート材を貼着することが可能である。また、表面部用化粧シート材６および小口部用化粧シート材５と扉パネル基材部１との貼着は、例えば、これらの間に湿気硬化型接着剤を塗布し、ロールプレス機によりプレスすることで行えるが、これに限定されるものではない。
【産業上の利用可能性】
【００１９】
本発明の扉パネルは、建築物や家具等の構造物の開口部に取り付けられる扉パネルとして有用である。
【図面の簡単な説明】
【００２０】
【図１】（ａ）から（ｄ）は本発明の実施の形態における扉パネルの製造工程を示す断面図である。
【図２】表面部と小口部とにそれぞれ異なる方向に木目を通した化粧シート材を貼着した扉パネルの斜視図である。
【図３】（ａ）、（ｂ）は従来の扉パネルの製造工程を示す断面図である。
【符号の説明】
【００２１】
１  扉パネル基材部
１ａ  小口部
１ｂ  表面部
２  芯材
３  表面材
４  裏面材
５  小口部用化粧シート材
５ａ  端面
６  表面部用化粧シート材
【図１】
2007120195.tif 000003
【図２】
2007120195.tif 000004
【図３】
2007120195.tif 000005